(57)【要約】【課題】  発光位置と収納位置に移動するストロボ発光部の操作性を向上する。【解決手段】  ストロボ発光部は、カメラボディに収納された収納位置と、突出した発光位置との間で移動自在となっている。カメラの電源がオンのときに、アップボタン１６を押圧すると、ストロボ発光部１４が発光位置に移動し、発光位置のストロボ発光部１４を押圧すると、収納位置に戻る。ストロボ発光部１４が発光位置にあるときに、電源をオフすると自動的にストロボ発光部１４が収納位置に移動され、次に電源をオンとすると、再び発光位置に復元される。ストロボ発光部１４を収納位置にあるときに、電源をオフする収納位置が維持され、次に電源をオンした場合にも収納位置に維持される。【選択図】        図１
2007094110.tif 000002
【特許請求の範囲】
【請求項１】
カメラ本体内に収納された収納位置と、カメラ本体外に露呈される発光位置との間で移動自在とされたストロボ発光部を備えたストロボ内蔵カメラにおいて、
撮影状態から非撮影状態に移行する際に、前記ストロボ発光部を収納位置に移動するとともに、撮影状態における前記ストロボ発光部の位置を記憶し、非撮影状態から撮影状態に移行する際には、記憶した前記ストロボ発光部の位置に基づき、前記ストロボ発光部を前回の位置とする発光部移動機構を備えたことを特徴とするストロボ内蔵カメラ。
【請求項２】
カメラ本体内に収納された収納位置と、カメラ本体外に露呈される発光位置との間で移動自在とされたストロボ発光部を備えたストロボ内蔵カメラにおいて、
前記ストロボ発光部を発光位置に向けて付勢する発光部付勢手段と、
前記発光部付勢手段の付勢力に抗して前記ストロボ発光部を収納位置に係止する係止位置と、発光位置と収納位置との間での前記ストロボ発光部の移動を許容する許容位置との間で移動自在とされ、外部からの操作によって前記ストロボ発光部を収納位置に移動したときに係止位置に移動する係止部材と、
前記係止部材を係止位置に保持する第１操作位置と、前記係止部材が許容位置に移動することを許容する第２操作位置との間で移動自在とされ、外部からの操作で第２操作位置に移動されることで前記係止部材を許容位置に移動させ、前記係止部材の係止位置への移動で第１操作位置に移動する操作部材と、
撮影状態から非撮影状態に移行する際に、前記付勢手段の付勢力に抗して前記ストロボ発光部を収納位置に保持し、非撮影状態から撮影状態に移行する際に前記ストロボ発光部の収納位置での保持を解除する保持手段と、
撮影状態から非撮影状態に移行する際に、前記係止部材の移動を禁止して直前の撮影状態における位置を非撮影状態から撮影状態に移行するまで維持する位置維持手段とを備えたことを特徴とするストロボ内蔵カメラ。
【請求項３】
カメラ本体内に収納された収納位置と、カメラ本体外に露呈される発光位置との間で移動自在とされたストロボ発光部を備えたストロボ内蔵カメラにおいて、
前記ストロボ発光部を発光位置に向けて付勢する発光部付勢手段と、
前記ストロボ発光部に連結されて連動し、前記ストロボ発光部の収納位置に対応した第１連動位置と発光位置に対応した第２連動位置との間で移動する連動部材と、
前記発光部付勢手段の付勢に抗して、前記連動部材を第１連動位置に係止する係止位置と第１連動位置と第２連動位置との間での移動を許容する許容位置との間で移動自在とされた係止部材と、
前記係止部材を係止位置に保持する第１操作位置と、前記係止部材の許容位置に移動を許容する第２操作位置との間で移動自在とされ、外部からの操作で第２操作位置に移動されることで前記係止部材を許容位置に移動させ、前記係止部材の係止位置への移動で第１操作位置に移動する操作部材と、
撮影状態から非撮影状態に移行する際に、前記発光部付勢手段の付勢力に抗して前記連動部材を第１連動位置に移動して保持し、非撮影状態から撮影状態に移行する際に第１連動位置での保持を解除する保持手段と、
撮影状態から非撮影状態に移行する際に、前記係止部材の移動を禁止して直前の撮影状態における位置を非撮影状態から撮影状態に移行するまで維持する位置維持手段とを備えたことを特徴とするストロボ内蔵カメラ。
【請求項４】
前記係止部材は、前記ストロボ発光部が発光位置に移動する際に、前記発光部付勢手段の付勢力が前記連動部材を介して与えられることによって許容位置に移動することを特徴とする請求項３記載のストロボ内蔵カメラ。
【請求項５】
前記連動部材を介して与えられる前記発光部付勢手段の付勢力よりも小さい係止位置への方向の付勢力を前記係止部材に与え、前記連動部材が第１連動位置に移動する際に前記係止部材を係止位置に移動する復帰用付勢部材を備えたことを特徴とする請求項４記載のストロボ内蔵カメラ。
【請求項６】
前記保持手段は、非撮影状態に移行する際に、前記連動部材を第２連動位置の方向に押圧して停止する押圧部材であることを特徴とする請求項３ないし５のいずれか１項に記載のストロボ内蔵カメラ。
【請求項７】
前記位置維持手段は、非撮影状態に移行する際に、前記係止部材の係止位置と許容位置との間の移動軌跡上に移動し、一方の位置にある前記係止部材と当接して係止することを特徴とする請求項２ないし６のいずれか１項に記載のストロボ内蔵カメラ
【請求項８】
前記操作部材は、第１操作位置に向けて付勢されるとともに、許容位置の前記係止部材によって第２操作位置に係止され、前記係止部材の係止位置への移動によって係止が解除されることによって第１操作位置に移動することを特徴とする請求項２ないし７のいずれか１項に記載のストロボ内蔵カメラ。
【請求項９】
前記ストロボ発光部が収納位置のときにストロボ発光を禁止し、発光位置のときに撮影に同期してストロボ発光を行わせるスイッチ手段を備えたことを特徴とする請求項１ないし８のいずれか１項に記載のストロボ内蔵カメラ。
【発明の詳細な説明】
【技術分野】
【０００１】
本発明は、収納位置と発光位置とに移動するストロボ発光部を備えたストロボ内蔵カメラに関するものである。
【背景技術】
【０００２】
カメラとしては、写真（銀塩）フイルムを用いる写真フイルムカメラや、イメージセンサを用いたデジタルカメラなどが広く普及している。このようなカメラの多くは、暗い場所や逆光下での補助光源としてストロボ装置を内蔵している。また、ストロボ光を照射するストロボ発光部をカメラボディ内に収納した収納位置と、カメラボディから突出させた発光位置との間で移動自在にした、いわゆるポップアップ方式のストロボ装置を内蔵したものもある。このポップアップ方式では、使用時には発光位置とすることでストロボ発光部と撮影レンズの適当な距離をあけ、赤目の発生の防止を図ることができ、使用しないときにはストロボ発光部を収納位置とすることで携行性を損なわないようにすることができる。また、ポップアップ方式のものでは、そのストロボ発光部の位置に応じてストロボ発光の有無を選択するようにしたものもある。
【０００３】
ストロボ発光部の移動は、手動操作、例えばボタンの押圧操作で発光位置とされ、ストロボ発光部を直接操作して押し下げるものが知られている。また、電源のオンによってストロボ発光部を収納位置から発光位置に自動的に移動させるストロボ内蔵カメラも知られている（例えば、特許文献１〜３）。特許文献１のストロボ内蔵カメラでは、ストロボ発光部を直接操作して押し下げて収納位置とし、特許文献２，３のものでは、電源のオフに応答してストロボ発光部を自動的に収納位置に移動させている。
【特許文献１】特開平２００２−２１４６７５号公報
【特許文献２】特開平１０−２１３８４５号公報
【特許文献３】特開２００４−２８７２５７号公報
【発明の開示】
【発明が解決しようとする課題】
【０００４】
ところで、使用するフイルムの種類や撮影対象、撮影条件等は、撮影者毎に似通っているため、撮影毎にストロボ光の使用・不使用は、同じ撮影者であればあまり変わらない。このため、例えばストロボ光を頻繁に使用する撮影者は、手動操作で、電源をオフするときにストロボ発光部を収納位置にしたり、使用するときにストロボ発光部を発光位置にしたりする操作は煩わしい操作となる。また、電源をオンとしたときに、自動的に発光位置に移動するようなストロボ装置では、ストロボ光をあまり使用しない撮影者にとっては、撮影時に収納位置とする操作を行わなくてはならず、操作が煩わしくなる。一方、ストロボ発光部が発光位置のときに、ストロボ発光の有無の選択をできるようにすると、今度はストロボ発光がされるのか否かを容易に判別できなくなる、という問題があった。
【０００５】
本発明は上記問題を解消するためになされたもので、操作性が高いストロボ内蔵カメラを提供することを目的とする。
【課題を解決するための手段】
【０００６】
上記目的を達成するために、請求項１記載のストロボ内蔵カメラでは、撮影状態から非撮影状態に移行する際に、前記ストロボ発光部を収納位置に移動するとともに、撮影状態における前記ストロボ発光部の位置を記憶し、非撮影状態から撮影状態に移行する際には、記憶した前記ストロボ発光部の位置に基づき、前記ストロボ発光部を前回の位置とする発光部移動機構を備えたものである。
【０００７】
請求項２記載のストロボ内蔵カメラでは、ストロボ発光部を発光位置に向けて付勢する発光部付勢手段と、前記発光部付勢手段の付勢力に抗して前記ストロボ発光部を収納位置に係止する係止位置と、発光位置と収納位置との間での前記ストロボ発光部の移動を許容する許容位置との間で移動自在とされ、外部からの操作によって前記ストロボ発光部を収納位置に移動したときに係止位置に移動する係止部材と、前記係止部材を係止位置に保持する第１操作位置と、前記係止部材が許容位置に移動することを許容する第２操作位置との間で移動自在とされ、外部からの操作で第２操作位置に移動されることで前記係止部材を許容位置に移動させ、前記係止部材の係止位置への移動で第１操作位置に移動する操作部材と、撮影状態から非撮影状態に移行する際に、前記付勢手段の付勢力に抗して前記ストロボ発光部を収納位置に保持し、非撮影状態から撮影状態に移行する際に前記ストロボ発光部の収納位置での保持を解除する保持手段と、撮影状態から非撮影状態に移行する際に、前記係止部材の移動を禁止して直前の撮影状態における位置を非撮影状態から撮影状態に移行するまで維持する位置維持手段とを備えたものである。
【０００８】
請求項３記載のストロボ内蔵カメラでは、ストロボ発光部を発光位置に向けて付勢する発光部付勢手段と、前記ストロボ発光部に連結されて連動し、前記ストロボ発光部の収納位置に対応した第１連動位置と発光位置に対応した第２連動位置との間で移動する連動部材と、前記発光部付勢手段の付勢に抗して、前記連動部材を第１連動位置に係止する係止位置と第１連動位置と第２連動位置との間での移動を許容する許容位置との間で移動自在とされた係止部材と、前記係止部材を係止位置に保持する第１操作位置と、前記係止部材の許容位置に移動を許容する第２操作位置との間で移動自在とされ、外部からの操作で第２操作位置に移動されることで前記係止部材を許容位置に移動させ、前記係止部材の係止位置への移動で第１操作位置に移動する操作部材と、撮影状態から非撮影状態に移行する際に、前記発光部付勢手段の付勢力に抗して前記連動部材を第１連動位置に移動して保持し、非撮影状態から撮影状態に移行する際に第１連動位置での保持を解除する保持手段と、撮影状態から非撮影状態に移行する際に、前記係止部材の移動を禁止して直前の撮影状態における位置を非撮影状態から撮影状態に移行するまで維持する位置維持手段とを備えたものである。
【０００９】
請求項４記載のストロボ内蔵カメラでは、係止部材を、ストロボ発光部が発光位置に移動する際に、発光部付勢手段の付勢力を連動部材を介して与えることによって許容位置に移動するようにしたものである。請求項５記載のストロボ内蔵カメラでは、連動部材を介して与えられる発光部付勢手段の付勢力よりも小さい係止位置への方向の付勢力を係止部材に与える復帰用付勢部材を前記連動部材を設け、第１連動位置に移動する際に係止部材を係止位置に移動させるものである。
【００１０】
請求項６載のストロボ内蔵カメラでは、保持手段を、撮影状態に移行する際に、連動部材を第２連動位置の方向に押圧して停止する押圧部材としたものである。また、請求項７載のストロボ内蔵カメラでは、位置維持手段を、非撮影状態に移行する際に、係止部材の係止位置と許容位置との間の移動軌跡上に移動し、一方の位置にある前記係止部材と当接して係止するように構成したものである。
【００１１】
請求項８記載のストロボ内蔵カメラでは、操作部材を、第１操作位置に向けて付勢するとともに、許容位置の前記係止部材によって第２操作位置に係止し、前記係止部材の係止位置への移動によって係止が解除して第１操作位置に移動するようにしたものである。
【００１２】
請求項９記載のストロボ内蔵では、ストロボ発光部が収納位置のときにストロボ発光を禁止し、発光位置のときに撮影に同期してストロボ発光を行わせるスイッチ手段を備えたものである。
【発明の効果】
【００１３】
本発明によれば、撮影が可能な撮影状態から、電源オフ，休止状態，再生モード状態、撮影レンズの沈胴した状態等の非撮影状態に移行するときに、ストロボ発光部を収納位置に移動するようにするとともに、撮影状態におけるストロボ発光部が発光位置であるか収納位置であるかを記憶して、次に撮影状態としたときに、その記憶した位置にストロボ発光部を移動するから、非撮影状態のときには常にストロボ発光部を収納位置としながら、次撮影状態となったときに前回の撮影状態と同じ位置にストロボ発光部が復元されるので撮影者の操作性が向上する。
【発明を実施するための最良の形態】
【００１４】
本発明を実施したストロボ装置を内蔵したカメラの外観を図１〜図３に示す。図１はカメラの電源をオフとした非撮影状態での外観を、図２は電源をオンとした撮影状態でストロボ発光部を収納位置とした状態の外観を、図３は電源をオンとした撮影状態でストロボ発光部を発光位置とした状態の外観をそれぞれ示している。
【００１５】
カメラ２は、撮影機構や各種の制御を行う電子回路等をカメラボディ３に内蔵している。カメラボディ３の前面には、ズームタイプの撮影レンズ４，ファインダ５の対物窓５ａを設けてある。撮影レンズ４は、沈胴式の鏡胴６，レンズバリア７を有している。鏡胴６は、電源がオフとなると、図１に示すカメラボディ３内に収納された沈胴位置となり、電源がオンとなると、図２，図３に示すようにカメラボディ３から繰り出されたワイド端に移動し、ズーム操作によって広角端とこの広角端よりもさらに前方に繰り出された望遠端との間で移動する。レンズバリア７は、鏡胴６が沈胴位置のときにレンズ４ａを覆う閉じ位置となり、撮影位置のときにレンズ４ａを露呈する開き位置となる。
【００１６】
カメラボディ３の背面には、ファインダ５の接眼側窓５ｂ，フイルム装填蓋等（図示省略）を設けてある。撮影者は、接眼側窓５ｂを覗くことによって、撮影レンズ４による撮影範囲を知ることができる。カメラボディ３の側面に設けたロックレバー８を下方にスライドすることにより、フイルム装填蓋等のロックが解除され、フイルム装填蓋を閉じ位置から開き位置に回動できる。フイルム装填蓋を開き位置にすることにより、写真フイルムパトローネの装填及び取出しを行うことができ、フイルム装填蓋を開き位置から閉じ位置にすると、自動的にロックレバー８が上方にスライドしてフイルム装填蓋が閉じ位置にロックされる。
【００１７】
カメラボディ３の上面には、操作部１０，レリーズボタン１１，ズーム操作部材１２，ＬＣＤ１３，ストロボ発光部１４を設けてある。操作部１０は、電源をオン・オフする電源ボタンや撮影感度等を設定する設定ボタン等からなる。ＬＣＤ１３は、設定されている撮影モードや、装填されている写真フイルムの撮影感度，写真フイルムの残り撮影枚数等の撮影情報を表示する。
【００１８】
レリーズボタン１１は、浅く押した半押しとこの半押しからさらに押し込んだ全押しとに押圧操作可能になっており、半押しで被写体輝度及び撮影距離の測定が行われ、この測定結果に基づいた撮影が全押しで行われる。
【００１９】
ズーム操作部材１２は、シーソー式の押しボタンであって望遠側（「Ｔ」字側）、広角側（「Ｗ」字側）のいずれかに選択的に押圧可能になっており、押圧操作を解除しているときには所定の中立位置に復元するようにしてある。ズーム操作部材１２を望遠側または広角側に押圧することにより、前述のように鏡胴６が広角端と望遠端との間で移動し、これにより撮影レンズ４のズーミングが行われる。
【００２０】
ストロボ発光部１４は、図１及び図２に示すように、カメラボディ３内に収納された収納位置と、図３に示すようにカメラボディ３の上部に突出してストロボ発光面１４ａを露呈させた発光位置との間で移動自在になっている。このストロボ発光部１４は、電源がオンとされて撮影状態となっているときに、カメラボディ３の側面に設けたアップボタン１６を押圧することにより収納位置から発光位置に移動する。ストロボ発光部１４が発光位置のときには、ストロボ発光部１４を直接押圧することにより、収納位置とすることができる。さらに、電源をオフとして非撮影状態とした場合には、自動的にストロボ発光部１４が収納位置に移動する。
【００２１】
撮影状態におけるストロボ発光部１４の位置に応じて、撮影時のストロボ発光の有無が選択される。すなわち、ストロボ発光部１４を収納位置としているときには、ストロボ発光は行われず、発光位置としているときには、撮影に同期してストロボ発光面１４ａよりストロボ光が被写体に向けて照射される。
【００２２】
図４に示すように、ストロボ発光部１４は、軸１８介してカメラボディ３に取り付けられ、収納位置と発光位置との間で回動自在となっている。また、軸１８をねじりコイルバネ１９に通してあり、このねじりコイルバネ１９の一端がストロボ発光部１４に、他端がカメラボディ３に掛けられることによって、ストロボ発光部１４を発光位置に向けて付勢してある。
【００２３】
ストロボ発光面１４ａの奧にストロボ放電管２１を配してあり、このストロボ放電管２１にはストロボ発光部１４の位置によってオン・オフされるスイッチ２２ａを備えたストロボ回路２２を接続してある。スイッチ２２ａは、ストロボ発光部１４が収納位置のときにオフとなり、発光位置のときにオンとなる。ストロボ回路２２は、スイッチ２２ａがオンのときには、撮影に同期してストロボ放電管２１での放電を行ってストロボ発光させ、オフのときにストロボ発光をさせない。ストロボ発光部１４の下部には、ストロボ発光部１４を後述する発光部移動機構に連結する連結軸２３を一体に設けてある。
【００２４】
ストロボ発光部１４を収納位置と発光位置との間で移動する発光部移動機構を図５に示す。操作部材２６は、軸２６ａの一端にアップボタン１６を、軸２６ａの中央部に軸２６ａよりも径の大きな円盤部２６ｂを設けてある。この操作部材２６は、アップボタン１６がカメラボディ３の側面とほぼ同じ面位置となった第１操作位置と、この第１操作位置からカメラボディ３内に押し込まれた第２操作位置との間で水平（左右）方向にスライド自在に組み付けてある。また、カメラボディ３のシャシー（図示せず）と円盤部２６ｂとの間に軸２６ａを通したコイルバネ２７を挟み込むことにより、操作部材２６を第１操作位置に向けて付勢してある。
【００２５】
係止部材として係止レバー２８は、水平面内で回動するようにシャシーに軸着してあり、この係止レバー２８は、図６及び図７に示すストロボ発光部１４を収納位置に係止する係止位置と、図８及び図９に示すストロボ発光部１４が発光位置と収納位置とのいずれの位置にも回動可能にした許容位置との間で回動自在としてある。
【００２６】
復帰用付勢手段としてのバネ２９は、係止レバー２８を係止位置に向けて付勢する。また、この係止レバー２８は、後述するよう連動レバー部３１と係合しているときには、ストロボ発光部１４を発光位置に付勢するねじりコイルバネ１９の付勢力が連動レバー部３１を介して許容位置に向けた付勢力として与えられる。バネ２９の付勢力は、この連動レバー部３１を介して係止レバー２８に与えられるねじりコイルバネ１９の付勢力よりも小さくしてある。したがって、保持レバー２８は、連動レバー部３１と係合していないときには、係止位置に向けて付勢され、係合しているときは許容位置に向けて付勢される。
【００２７】
係止レバー２８には、その一端に上方に起立した板状の第１被係止片２8ａを設けてある。第１被係止片２８ａは、その回動軌跡上に第１操作位置のときの円盤部２６ａが配されており、第１被係止片２８ａが円盤部２６ａに当接することにより、連動レバー部３１を介して与えられるねじりコイルバネ１９の付勢力に抗して、係止レバー２８が係止位置に係止される。
【００２８】
撮影状態で、操作部材２６を第２操作位置にスライドしたときには、第１被係止片２8ａと円盤部２６ａとの係合が解除され、係止レバー２８は、連動レバー部３１を介して与えられるねじりコイルバネ１９の付勢力によって、許容位置に回動する。係止レバー２８が許容位置のときには、第１被係止片２8ａは、アップボタン１６と円盤部２６ａとの間に入り込んで円盤部２６ａと係合し、バネ２９の付勢に抗してアップボタン１６を第２操作位置に係止する。
【００２９】
係止レバー２８の他端には、水平方向に突出した第２被係止片２８ｂを設けてある。この第２被係止片２８ｂは、非撮影状態において、後述する係止板３０と協同して係止レバー２８を直前の撮影状態の位置に維持しておくためのものである。
【００３０】
連動レバー部３１は、下側レバー部材３３と、上側レバー部材３４と、ねじりコイルバネ３５とから構成される。下側レバー部材３３は、略「Ｌ」字形状をしており、その折り曲り部分を中心にして、回動自在にシャシーに組み付けてある。この下側レバー部材３３の一端には、前述の係止レバー２８と係合する係合突起３３ａを設けてある。上側レバー部材３４は、直線状であり、その一端を中心にして下側レバー部材３３と同軸で回動自在となるように下側レバー部材３３の上に配してある。
【００３１】
上側レバー部材３４の他端には、略「コ」字状に開いた連結部３４ａを設けてあり、この連結部３４ａにストロボ発光部１４に一体に設けた連結軸２３を通してある。これにより、連動レバー部３１が連結され、ストロボ発光部１４の発光位置と収納位置との回動に連動して回動する。連動レバー部３１は、ストロボ発光部１４が収納位置に対応する第１連動位置と、発光位置に対応する第２連動位置との間で回動する。
【００３２】
ねじりコイルバネ３５は、そのコイル部３５ａが各レバー部材３３，３４と同軸に回動するように組み付け、その一端３5ｂを下側レバー部材３３の他端側に突設したバネ掛け３３ｂに掛けてあり、他端３５ｃを上側レバー部材３４の他端側に設けたバネ掛け３４ｂに掛けてある。このようにねじりコイルバネ３５を掛けることにより、上側レバー部材３４は、その付勢により、バネ掛け３３ｂに当接して下側レバー部材３３の他端側の上方に位置決めされる。
【００３３】
通常では、ねじりコイルバネ３５の付勢力によって、ストロボ発光部１４の回動に連動して、下側レバー部材３３と上側レバー部材３４とが一体に回動し、第１連動位置と第２連動位置との間で回動するが、例えばストロボ発光部１４が異物を噛み込むなどして発光位置から移動しなくなったような状態では、上側レバー部材３４が第２連動位置に残り、下側レバー部材３３だけが第１連動位置に回動する。これにより、無理な力が加わってストロボ発光部１４やその他部材が破壊されることを防止する。
【００３４】
なお、以下では、説明を簡略化するために、下側レバー部材３３と上側レバー部材３４とが常に一体に回動するものとして説明する。また、連動レバー部３１を設けずに、直接にストロボ発光部１４に設けた軸等を係止レバー１４で係止し、その軸等に駆動力を与えて収納位置に移動させるように構成することもできる。
【００３５】
カム板４１は、その下面にカム溝４１ａを設けてあり、上面にファインダ用カム溝４１ｂ，４１ｃを設けてある。カム溝４１ａには、鏡胴６の伸縮を行う鏡筒駆動機構４２によって前後されるカムピン４２ａが係合する。これにより、カム板４１は、鏡胴６の広角端に対応した図示する広角スライド位置から矢線Ｔ方向に移動した望遠端に対応する望遠スライド位置と、広角スライド位置から矢線Ｗ方向に移動した沈胴位置に対応した沈胴スライド位置との間でスライド移動する。
【００３６】
ファインダ用カム溝４１ｂ，４１ｃには、ファインダ５を構成し、前後方向に移動自在とした２枚のレンズ（図示省略）に設けたカムピンを係合してある。これにより、鏡胴６の伸縮に応じてファインダ５の各レンズが前後に移動して、撮影レンズ４の焦点距離に応じた視野範囲となるようにファインダ５が調節される。なお、カム板４１が広角スライド位置と沈胴スライド位置との間でスライド移動するときには、ファインダ５のレンズは移動しないように、ファインダ用カム溝４１ｂ，４１ｃの形状を決めてある。
【００３７】
カム板４１の沈胴スライド位置側の一端には、位置維持手段としての係止板３０と、連動レバー部３１を第２連動位置に、すなわちストロボ発光部１４を収納位置に保持するための保持手段としての押圧軸４４を一体に設けてある。
【００３８】
押圧軸４４は、カム板４１が沈胴スライド位置にスライド移動したときに、係止レバー３３の他端側に設けた押圧面３３ｃを押圧して、連動レバー部３１を第１連動位置にまで回動する。これにより、ストロボ発光部１４が発光位置にあるときには、カム板４１の沈胴スライド位置へのスライド移動により、ストロボ発光部１４が収納位置とされ、その位置に保持される。また、ストロボ発光部１４が収納位置にあるときには、カム板４１が沈胴スライド位置にまでスライド移動した時点で、押圧軸４４で連動レバー部３１が第１連動位置に、すなわちストロボ発光部１４が収納位置に保持される。
【００３９】
カム板４１が広角スライド位置と望遠スライド位置との間にあるときには、押圧面３３ｃの移動軌跡の外に押圧軸４４が退避する。移動軌跡の外に退避した場合で係止レバー２８の係止が解除されているときには、すなわち許容位置にあるときまたは許容位置への回動が可能となっているときには、連動レバー部３１が第２連動位置に回動する。なお、係止レバー２８が係止位置に係止されているときには、連動レバー部３１は係止レバー２８によって第１連動位置に維持される。
【００４０】
係止板３０は、スライド方向に伸びた板状であり、押圧軸４４の前方に適当な間隔をあけて配してある。この係止板３０は、カム板４１が沈胴スライド位置にスライド移動したときに、第２被係止片２８ｂの移動軌跡上に移動する。この係止板３０が移動する位置は、係止レバー２８が係止位置のときの第２被係止片２８ｂの位置と、係止レバー２８が許容位置のときの第２被係止片２８ｂの位置との間となっており、係止レバー２８が係止位置のときには、係止板３０が第２被係止片２８ｂの後方に入り込んで第２被係止片２８ｂと係合して係止レバー２８を係止位置に係止し、係止レバー２８が許容位置のときには、第２被係止片２８ｂの前方に入り込んで第２被係止片２８ｂと係合して係止レバー２８を許容位置に係止する。なお、押圧軸４４による連動レバー部３１の回動よりも先に係止板３０と第２被係止片２８ｂとが係合し、押圧軸４４による連動レバー部３１の第１連動位置の保持解除よりも遅れて係止板３０と第２被係止片２８ｂとの係合が解除されるようにしてある。
【００４１】
上記のように、係止レバー２８は、操作部材２６と係止板３０とのいずれかによって係止位置に係止され、その両方による係止が解除された状態のときに許容位置に回動することが可能となる。
【００４２】
係止レバー２８には、切欠き部４６を設けてあり、その斜面４６ａに、連動レバー部３１が第１連動位置、かつ係止レバー２８が係止位置のときに係合突起３３ａが係合する。斜面４６ａと係合部３３とが係合しているときに、係止レバー２８が操作部材２６または係止板３０によって係止されているときには、斜面４６ａと係合突起３３ａとの係合が維持され、連動レバー部３１がねじりコイルバネ１９の付勢力で第２連動位置に回動しないように係止される。
【００４３】
係止レバー２８の係止が解除された場合には、ねじりコイルバネ１９による付勢力により、係合突起３３ａが斜面４６ａを押圧して係止レバー２８を許容位置に向けて回動することにより、係合突起３３ａと斜面４６ａとの係合が解除され、連動レバー部３１が第２連動位置に向けて回動する。係止レバー２８には、斜面４６ａに連なって形成された摺動面４７が形成されており、連動レバー部３１の第２連動位置に回動する際に係合部３３ｃが摺動面４７を押圧しながら移動することで、係止レバー２８が許容位置にまで回動する。係止レバー２８は、それが許容位置にあるときに係合部３３ｃの移動軌跡上から退避する形状としてあり、係止レバー２８が許容位置のときには、連動レバー部３１は、第１連動位置と第２連動位置との間での回動が可能としてある。
【００４４】
上記構成の作用について説明する。撮影を行う場合には、撮影者は、操作部１０を操作してカメラ２の電源をオンとする。カメラ２の電源がオンとなると、鏡胴駆動機構４２によって、撮影レンズ３の鏡胴６が沈胴位置から広角位置に繰り出されるとともに、レンズバリア７が開き位置となって、撮影可能な撮影状態となる。
【００４５】
一方、鏡胴６が広角端にまで繰り出される際に、カムピン４２ａが前方に移動されることによって、カム板４１が沈胴スライド位置から広角スライド位置にまでスライド移動する。このようにカム板４１がスライド移動すると、押圧軸４４が押圧面３３ｃの移動軌跡上から退避し、連動レバー部３１の第１連動位置での保持が解除される。
【００４６】
例えば、前回の撮影時においてストロボ発光部１４を収納位置としていた場合は、今回電源をオンとする時点では、図６に示すように、操作部材２６が第１操作位置に、係止レバー２８が係止位置に、連動レバー部３１が第１連動位置にそれぞれあり、操作部材２６の円盤部２６ｂと第１被係止片とが係合して係止レバー２８が係止位置に係止され、この係止レバー２８の斜面４６ａと係合突起３３ａとが係合して連動レバー部３１が第１連動位置に係止されている状態となっている。
【００４７】
このため、電源をオンすると、図７に示すように、連動レバー部３１の押圧軸４４による保持が解除されるが、操作部材２６で係止レバー２８が係止位置に係止され、この係止レバー２８で連動レバー部３１が第１連動位置に係止されている状態が維持されるので、連動レバー部３１は、第２連動位置に向けて回動せず、この連動レバー部３１に連結軸２３で連結されたストロボ発光部１４が収納位置のままとなる。
【００４８】
なお、電源がオフとなっているときには、係止レバー２８は、第２被係止片２８ｂによっても係止位置に保持されているが、電源のオンによるカム板４１のスライド移動によってそれによる係止は解除される。
【００４９】
ストロボ発光をさせずに撮影を行う場合では、撮影者は、上記のようにストロボ発光部１４を収納位置としたままでレリーズボタン１１を押圧操作して撮影を行う。ストロボ発光部１４を収納位置としている状態では、スイッチ２２ａがオフとなっているため、シャッタ装置（図示せず）が作動して撮影が行われても、ストロボ発光は行われない。
【００５０】
一方、ストロボ発光をさせて撮影を行う場合では、撮影者は、アップボタン１６をコイルバネ２７の付勢に抗して押圧する。このアップボタン１６が押圧により、図８に示すように、操作部材２６が第１操作位置から第２操作位置に移動し、円盤部２６ｂと第１被係止片２8ａの係合が解除される。一方、係止板３０が第２被係止片２8ａの移動軌跡上から退避しているから、係止レバー２８は、操作部材２６，係止板３０のいずれにも係止されていない状態となる。
【００５１】
このため係止レバー２８は、その斜面４６ａがねじりコイルバネ１９の付勢力により係合突起３３ａで押圧されて許容位置に向けて回動するので、係合突起３３ａと斜面４６ａとによる連動レバー部３１の係止が解除される。すなわち、ストロボ発光部１４の収納位置から発光位置に回動の係止が解除され、ストロボ発光部１４の発光位置への移動とともに、連動レバー部３１が係止レバー２８を許容位置に回動させながら第２連動位置に回動する。ストロボ発光部１４が発光位置となると、スイッチ２２ａがオンとなる。このため、レリーズボタン１１を押圧して撮影を行うと、その撮影に同期してストロボ発光が行われる。
【００５２】
電源をオフとする場合に、例えば撮影時にストロボ発光させることが多い撮影者は、ストロボ発光部１４を発光位置としたまま、電源をオフとする。電源をオフとすると、鏡胴駆動機構４２によって鏡胴６が沈胴位置に移動されるとともに、カムピン４２ａの移動により、カム板４１が沈胴スライド位置にまでスライド移動する。
【００５３】
上記のようにストロボ発光部１４を発光位置としたままカム板４１が沈胴スライド位置にまでスライド移動すると、図９に示すように、押圧面３３ｃが押圧軸４によって押圧されることで、連動レバー部３１がねじりコイルバネ１９の付勢に抗して第２連動位置から第１連動位置に回動し、その位置に保持される。そして、この連動レバー部３１の回動に連動してストロボ発光部１４が発光位置から収納位置に回動し、その位置に保持された状態となる。また、ストロボ発光部１４が収納位置となることに連動して、スイッチ２２ａがオフとなる。
【００５４】
連動レバー部３１が第２連動位置から第１連動位置に向けて回動する際には、ねじりコイルバネ１９の付勢力が係止レバー２８にかからなくなるので、係止レバー２８はバネ２９の付勢力によって許容位置から係止位置に回動しようとする。しかしながら、カム板４１が広角スライド位置から沈胴スライド位置にスライド移動している間で、押圧軸４４が連動レバー部３１を第１連動位置に向けて回動する前に、係止板３０が第２被係止片２８ｂの移動軌跡上に入り込み、第２被係止片２８ｂの前面と係合する。このため、連動レバー部３１が第１連動位置に回動を開始しても、係止板３０によって係止レバー２８が係止され、係止レバー２８は許容位置を維持する。
【００５５】
このように電源のオフでストロボ発光部１４を収納位置として、次回の撮影時に電源をオンした場合にも、上記と同様に、鏡胴駆動機構４２によって鏡胴６が沈胴位置から広角位置に繰り出され、レンズバリア７が開き位置とされ、これにともないカム板４１が沈胴スライド位置から広角スライド位置にスライド移動する。また、このカム板４１のスライド移動にともなって、図８に示すように、押圧軸４４が押圧面３３ｃの移動軌跡から退避して連動レバー部３１の第１連動位置での保持が解除される。
【００５６】
さらに、カム板４１のスライド移動により、係止板３０が第２被係止片２８ｂの移動軌跡上から退避するが、この退避は押圧軸４４による連動レバー部３１の第１連動位置の保持の解除よりも遅れて行われる。このため、連動レバー部３１が回動を開始して第２連動位置にまで回動するから、ストロボ発光部１４が発光位置に回動することになる。また、係止レバー２８は、連動レバー部３１に押圧されて許容位置を維持することになる。
【００５７】
したがって、ストロボ発光部１４を発光位置としたまま電源をオフとした場合には、その電源のオフでの非撮影状態となることで収納位置となるが、次回の撮影時に電源をオンして撮影状態としたときに、ストロボ発光部１４が自動的に発光位置となる。
【００５８】
一方、電源がオンのとき、ストロボ発光部１４を収納位置にする場合には、ストロボ発光部１４を下方に押圧して収納位置に移動させる。この操作により、図７に示すように、連動レバー部３１が第２連動位置から第１連動位置に回動する。また、この連動レバー部３１の回動により、係止レバー２８がバネ２９の付勢によって許容位置から係止位置に回動する。
【００５９】
係止レバー２８が係止位置に回動すると、係合突起３３ａと斜面４６ａとが係合した状態となるとともに、円盤部２６ｂとアップボタン１６との間から第１被係止片２８ａが抜けるため、コイルバネ２７の付勢力で操作部材２６が第１操作位置にスライドする。そして、操作部材２６が第１操作位置となると、円盤部２６ｂと第１被係止片２8ａが係合し、係止レバー２８が係止位置に係止される。したがって、係合突起３３ａと斜面４６ａとの係合が解除されなくなり、結果としてストロボ発光部１４が収納位置に維持される。
【００６０】
電源をオフとするときにストロボ発光部１４を収納としている場合では、図６に示すように、カム板４１の沈胴スライド位置への移動によって、係止板３０が係止位置となっている係止レバー２８の第２被係止片の移動軌跡内に入り、第２被係止片２８ｂの背面と係合する。このため、電源をオフとしている間では、係止レバー２８が係止位置に維持されることになる。そして、この後電源をオンとすれば、前述のようにストロボ発光部１４が収納位置のまま撮影状態となる。
【００６１】
上記実施形態では、写真フイルムを用いるカメラを例について説明したが、本発明は、イメージセンサで被写体像を撮影するデジタルカメラ等のストロボを内蔵した各種カメラに利用できる。また、上記実施形態では、電源をオフとしている状態を非撮影状態としているが、例えば、カメラの動作の休止状態，再生モード状態等を非撮影状態としてもよい。また、発光部移動機構をレバー等で構成した例について説明したが、電気的な制御や構成により、ストロボ発光部の移動を行ってもよい。
【図面の簡単な説明】
【００６２】
【図１】本発明を実施したカメラの電源オフ状態での正面側外観を示す斜視図である。
【図２】カメラの電源オン状態でのストロボ発光部を収納した状態の正面側外観を示す斜視図である。
【図３】カメラの電源オン状態でのストロボ発光部をアップした状態の正面側外観を示す斜視図である。
【図４】ストロボ発光部の構成を示す斜視図である。
【図５】発光部移動機構の構成を示す分解斜視図である。
【図６】前回の撮影状態でストロボ発光部が発光位置となっていた場合における非撮影状態での発光部移動機構の状態を示す説明図である。
【図７】撮影状態でストロボ発光部が収納位置となっている場合の発光部移動機構の状態を示す説明図である。
【図８】撮影状態でストロボ発光部が発光位置となっている場合の発光部移動機構の状態を示す説明図である。
【図９】前回の撮影状態でストロボ発光部が収納位置となっていた場合における非撮影状態での発光部移動機構の状態を示す説明図である。
【符号の説明】
【００６３】
１４  ストロボ発光部
１６  アップボタン
１９  ねじりコイルバネ
２６  係止レバー
２９  バネ
３０  係止板
３１  連動レバー部
４４  押圧軸
【図１】
2007094110.tif 000003
【図２】
2007094110.tif 000004
【図３】
2007094110.tif 000005
【図４】
2007094110.tif 000006
【図５】
2007094110.tif 000007
【図６】
2007094110.tif 000008
【図７】
2007094110.tif 000009
【図８】
2007094110.tif 000010
【図９】
2007094110.tif 000011